【手続補正書】
【提出日】平成21年5月1日(2009.5.1)
【手続補正１】
【補正対象書類名】特許請求の範囲
【補正対象項目名】全文
【補正方法】変更
【補正の内容】
【特許請求の範囲】
【請求項１】
数粒ずつの稲種子を一株として圃場に蒔き、前記種子に圧搾空気を吹き付けて地中に吹込むようにした稲の直蒔栽培方法。
【請求項２】
請求項１記載の稲の直蒔栽培方法において、
前記稲種子は、畝および株間の間隔を空けて蒔かれることを特徴とする稲の直蒔栽培方法。  
【請求項３】
種子収納用の円筒状回転体と、全体形状が略Ｖ字状をなし、一端が前記回転体の内部に、他端が前記回転体の外部にそれぞれ開口を有し、前記回転体内に前記一端が前記回転体の回転方向前方を向くように固定され、前記回転体の回転に伴って前記一端から取込んだ複数の稲種子を前記他端から外部に落下させる複数の種子蒔用管とを有し、前記回転体の回転に伴って前記稲種子を圃場に落下させる株蒔器と、
前記株蒔器から落下した稲種子に向かって圧搾空気を吹き付け、地中に吹込むノズルと、
前記株蒔器および前記ノズルを搭載し、前記圃場を進行する車体と
をそなえた稲の直蒔栽培用株蒔装置。
【請求項４】
請求項３記載の稲の直蒔栽培用株蒔装置において、
前記種子蒔管は、前記一端が茶さじ状をなす部分を有することを特徴とする稲の直蒔栽培用株蒔装置。
【請求項５】
軸心位置を回転可能に支持された種子収納用の円筒状回転体と、
全体形状が略Ｖ字状をなし、一端が前記回転体の内部に、他端が前記回転体の外部にそれぞれ開口を有し、前記回転体内に前記一端の開口が前記回転体の回転方向前方を向くように固定され、前記回転体の回転に伴って前記一端から取込んだ複数の稲種子を前記他端から前記回転体の外部に落下させる複数の種子蒔用管と
をそなえ、前記回転体の回転に伴って前記稲種子を圃場に落下させる株蒔器。
【手続補正２】
【補正対象書類名】明細書
【補正対象項目名】全文
【補正方法】変更
【補正の内容】
【発明の詳細な説明】
【発明の名称】稲の直蒔栽培用株蒔方法、株蒔装置および株蒔器
【技術分野】
【０００１】
本発明は、稲の種子を本田に直接株蒔して栽培する技術に係り、とくにその株蒔方法、株蒔装置および株蒔器に関する。
【背景技術】
【０００２】
従来、稲作の省力化のために、直蒔方式が検討されている。特許文献１では、一株分の種籾および土に固化液を用いて固化体を形成し、種蒔機により列状に圃場に押し出して蒔く方法を開示している。
【０００３】
また、特許文献２では、直蒔用の紐状構造物を開示している。
【特許文献１】特開平10-028416号公報
【特許文献２】特開2000-092922号公報
【発明の開示】
【発明が解決しようとする課題】
【０００４】
しかしながら、上記特許文献記載の方法では必ずしも望ましい省力化が図られる訳ではなく、更なる直蒔方法および直蒔機の出現が待たれている。  
本発明は上述の点を考慮してなされたもので、飛躍的な省力が可能な稲の直蒔栽培用株蒔方法、株蒔装置および株蒔器を提供することを目的とする。
【課題を解決するための手段】
【０００５】
上記目的を達成するため、本発明では、下記の(1)稲の直蒔栽培用株蒔方法、(2)株蒔装置および(3)株蒔器を提供するものである。
【０００６】
(1)数粒ずつの稲種子を一株として圃場に蒔き、前記種子に圧搾空気を吹き付けて地中に吹込むようにした稲の直蒔栽培方法、
(2)種子収納用の円筒状回転体と、全体形状が略Ｖ字状をなし、一端が前記回転体の内部に、他端が前記回転体の外部にそれぞれ開口を有し、前記回転体内に前記一端が前記回転体の回転方向前方を向くように固定され、前記回転体の回転に伴って前記一端から取込んだ複数の稲種子を前記他端から外部に落下させる複数の種子蒔管とを有し、前記回転体の回転に伴って前記稲種子を圃場に落下させる株蒔器と、
前記株蒔器から落下した稲種子に向かって圧搾空気を吹き付け、地中に吹込むノズルと、
前記株蒔器および前記ノズルを搭載し、前記圃場を進行する車体と
をそなえた稲の直蒔栽培用株蒔装置、
および
(3)軸心位置を回転可能に支持された種子収納用の円筒状回転体と、
全体形状が略Ｖ字状をなし、一端が前記回転体の内部に、他端が前記回転体の外部にそれぞれ開口を有し、前記回転体内に前記一端の開口が前記回転体の回転方向前方を向くように固定され、前記回転体の回転に伴って前記一端から取込んだ複数の稲種子を前記他端から前記回転体の外部に落下させる複数の種子蒔用管と
をそなえ、前記回転体の回転に伴って前記稲種子を圃場に落下させる株蒔器、を提供するものである。
【発明の効果】
【０００７】
本発明は上述のように、稲種子を株蒔して圧搾空気により地中に吹込むため、蒔種および覆土を一挙に行うことができる。この結果、圃場単位面積当りの労力を大幅に削減して、蒔種作業時間を格段に短縮することができる。
【０００８】
また、株蒔器は、株単位で連続的に種蒔を行うため、種蒔作業を大幅に簡単化することができる。
【発明を実施するための最良の形態】
【０００９】
以下、図面を参照して本発明の実施の形態を詳細に説明する。
【実施例１】
【００１０】
図１は、本発明に係る装置の実施例１を示す略平面図である。図１に示すように、この装置は、作業者が搭乗して操縦する形式の株蒔装置として構成されている。
【００１１】
すなわち、車体の下部には、畝に沿って種子を株蒔きするように株蒔器１およびノズル２が互いに隣接して設けられている。株蒔器１は内部に予め充填されている種子を株単位で圃場に蒔くものであり、ノズル２にはボンベ３から圧搾空気が供給される。
【００１２】
この動作は、蒔種機用クラッチ４の操作により株蒔器１が接地すると、車体の移動に伴って接地面から受ける回転力により株蒔器１が自転することによって行われる。
【００１３】
種子蒔きの際の車体の運転は、作業者が座席９に腰掛け、ハンドル装置５および進行クラッチ６を操作して、車体の進行方向を決め動力を制御することにより行う。
【００１４】
図２は、本発明に係る装置を特徴付ける株蒔器１、およびノズル２を用いた空気吹付け手段を示している。
【００１５】
株蒔器１は、図示の場合、シャフトに４台が等間隔で取り付けられている。シャフトは、例えば長さ１３５cmで横断面が４角であり、このシャフトに回転体が３３ｃｍ間隔で取り付けられている。これは、稲の株間、畝間を適当な距離にするために選ばれた寸法である。
【００１６】
ノズル２は、株蒔器１と対応した構成を有するものであり、４台の株蒔器１のそれぞれに１つずつのノズル２が設けられている。このノズル２が、圧搾空気を吹出して種子を圃場の地中に吹込む。
【００１７】
圧搾空気はボンベ３から供給されるのであるが、ボンベ３にコンプレッサ６および圧力調整器を設けておき、ボンベ３内の空気圧力が適正値になるように空気を補充するようにしてもよい。
【００１８】
図３は、株蒔器１を構成する要素の詳細構成を示すため、主要構成要素である円筒状の種子収納用回転体を分解して軸心方向の至近距離から回転体の内部構成を見た状態を表したものである。
【００１９】
この種子収納用回転体は、円筒状周壁１０１と一対の円盤状端壁１０２とにより外壁が構成された太鼓形状をしており、図示の場合、内部に４個の種子蒔き用管１０が固定されている。図３では、円盤状端壁１０２の片方が外された状態を見ている。
【００２０】
種子蒔き用管１０は、回転体内に設けられ、回転体の種子充填口（図示せず）から予め充填されている種子を１株分ずつ蒔くものである。つまり、回転体の自転に伴い、回転体内で流動している種子を、種子蒔き用管１０の一端である取込み口１０ａから数粒ずつ管１０内に掬うように取込んでいき、所定回転角だけ回転すると他端、つまり回転体の周壁１０１（または端壁１０２）に設けられ外部に露出した種子蒔落し口１０ｂから圃場に種子群として落下させる。
【００２１】
このために、取込み口１０ａは回転体の回転方向前方を向くように、また種子蒔落し口１０ｂは回転体の外方を向くように構成されている。
【００２２】
回転体の大きさは、例えば直径２４ｃｍ、厚み９ｃｍとし、その内部の種子蒔き用管１０は、一つの回転体当りの個数が４個であればシャフトを中心にして９０度間隔で設けられる。
【００２３】
図３に示された回転体は、一方の端壁に、例えば曲げ角が４０度となるようにＶ字型に折り曲げられて開口端である取込み口１０ａ、種子蒔落し口１０ｂを有する管が端部および中央部で回転体に固定された構成となっている。
【００２４】
この株蒔器１を構成する要素は、図2に示したように、図示しないシャフトが中心位置を貫通しており、このシャフトを中心にして回転体が自転する。
【００２５】
この回転に伴い、株蒔器１は、開口端である取込み口１０ａおよび蒔落し口１０ｂの向きが変わり、両開口端１０ａ，１０ｂが上向きの位置では取込み口１０ａから取込んだ種子がＶ字の曲がり角付近に溜まり、次いで株蒔器１が徐々に向きを変えて開口端が下向きになると、種子蒔落し口１０ｂから種子を地上に落下させる。稲種子は株単位、つまり数粒ずつ、例えば４,５粒ずつまとめて落下させる。
【００２６】
この種子の取込みから蒔落しまでを円滑に行うために、図３に示すように、取込み口１０ａは、蛙の口のように長手方向に切り込みが設けられて茶さじ形状に形成された部分を有し、図示上側が狭く図示下側が茶さじ状に拡げて形成されており、また他端は、管を径方向に切断した形状である。取込み口１０ａの蛙の口のような形状は、種子の取込みの際に、種子の移動が円滑に行われるように考慮したものである。
【００２７】
管は、例えば次のように構成される。直径２０ｍｍ程度の金属、例えばアルミニウム製の管を４０度程度の角度をなすＶ字型に折り曲げ、Ｖ字の頂点および端部を回転体に固着する。管の長さは、全長で９ｃｍであり、Ｖ字型の曲げ部を挟んで一方が６ｃｍで他方が３ｃｍとし、蛙の口状の切り込みは１５ｍｍ程度とする。
【００２８】
管の数は例えば４個とし、回転体の面に対して斜めになるように取り付けてもよい。Ｖ字の曲げ部は、できるだけ丸くすることにより稲種子の通りが良くなる。管の内部は、種子の通りを阻害しないように仕上げる。
【００２９】
このように構成することにより、株蒔器１は、回転に伴って内部に収容した種子を４，５粒ずつ取込んでは落下させていき、次いでノズルからの空気吹出しにより地中に吹込まれて覆土される。
【００３０】
この結果、稲の栽培を直蒔で行っても、鳥害に遭うことがないように地中に蒔種することができる。
【図面の簡単な説明】
【００３１】
【図１】本発明に係る装置の一実施例の要部を示す略平面図。
【図２】図１に示した実施例の株蒔器および空気吹出しノズルを示す説明図。
【図３】図１および図２に示した株蒔器をより詳細に示す説明図。
【符号の説明】
【００３２】
１  株蒔器、２  ノズル、３  ボンベ、４  蒔種機用クラッチ、
５  ハンドル装置、６  コンプレッサ、７  進行クラッチ、８  エンジン、
９  座席、１０  種子蒔き用管、１０ａ  取込み口、１０ｂ  種子蒔落し口、
１０１  周壁、１０２  端壁。
【手続補正３】
【補正対象書類名】図面
【補正対象項目名】図３
【補正方法】変更
【補正の内容】
【図３】
2007167048.tif 000001